(57)【要約】【課題】  送信側携帯端末装置が取得したある地点の環境を、受信側端末装置のユーザが簡単に確認することを可能にする端末装置を提供する。【解決手段】  通信部２ｂは、送信側移動端末から送信された位置情報および環境情報を、アンテナ２ａを介して受信する。制御部２ｄは、通信部２ｂが位置情報を受信すると、その受信された位置情報にて示された位置を含む地図情報を地図サーバから取得する。制御部２ｄは、その取得された地図情報が示す地図上に通信部２ｂから受け付けた環境情報にて示された環境が表示される画面を表示部２ｅに表示する。【選択図】      図３
2006217498.tif 000002
【特許請求の範囲】
【請求項１】
位置情報を該位置情報にて示された位置の環境を示す環境情報と共に送信する携帯端末装置と、地図情報を管理する地図管理装置と、通信回線を介して接続される端末装置であって、
前記位置情報および前記環境情報を受信する受信部と、
前記受信部が前記位置情報を受信すると、その受信された位置情報にて示された位置を含む地図情報を前記地図管理装置から取得する取得部と、
前記取得部にて取得された地図情報が示す地図と、前記環境情報にて示された環境と、を含む画面を表示する表示部と、を含む端末装置。
【請求項２】
請求項１に記載の端末装置において、
前記表示部は、前記受信された位置情報にて示された地図上の位置に、前記環境情報にて示された環境を表示する、端末装置。
【請求項３】
請求項１または２に記載の端末装置において、
前記携帯端末装置は、前記環境情報を取得する環境情報取得部を有し、
前記受信部は、前記環境情報取得部にて取得され、その後、前記携帯端末装置から送信された環境情報を受信する、端末装置。
【請求項４】
位置情報を該位置情報にて示された位置の環境を示す環境情報と共に送信する携帯端末装置と、通信回線を介して接続される端末装置であって、
地図情報を格納する地図情報格納部と、
前記位置情報および前記環境情報を受信する受信部と、
前記受信部が前記位置情報を受信すると、その受信された位置情報にて示された位置を含む地図情報を前記地図情報格納部から取得する取得部と、
前記取得部にて取得された地図情報が示す地図と、前記環境情報にて示された環境と、を含む画面を表示する表示部と、を含む端末装置。
【請求項５】
請求項４に記載の端末装置において、
前記表示部は、前記受信された位置情報にて示された地図上の位置に、前記環境情報にて示された環境を表示する、端末装置。
【請求項６】
請求項４または５に記載の端末装置において、
前記携帯端末装置は、前記環境情報を取得する環境情報取得部を有し、
前記受信部は、前記環境情報取得部にて取得された環境情報を受信する、端末装置。
【請求項７】
請求項１ないし６のいずれか１項に記載の端末装置に、前記位置情報および前記環境情報を送信する携帯端末装置であって、
前記位置情報を取得する位置情報取得部と、
前記環境情報を取得する環境情報取得部と、
前記位置情報および前記環境情報の送信許容先を識別するための識別情報を格納する格納部と、
前記端末装置から、前記位置情報および前記環境情報の発信を要求する旨の情報発信要求を、前記端末装置を識別するための識別情報と共に受け付ける受付部と、
前記受付部にて受け付けられた識別情報が前記格納部に格納されているか否かを判定する判定部と、
前記受付部にて受け付けられた識別情報が前記格納部に格納されていると前記判定部が判定すると、前記位置情報および前記環境情報を前記端末装置に送信する送信部と、を含む携帯端末装置。
【請求項８】
請求項１ないし６のいずれか１項に記載の端末装置と、前記端末装置宛に前記位置情報および前記環境情報を送信する携帯端末装置と、通信回線を介して接続される情報収集サーバであって、
前記携帯端末装置から前記端末装置宛に送信された位置情報および環境情報を収集する収集部と、
前記収集部にて収集された位置情報および環境情報を互いに関連づけて格納する格納部と、
前記収集部にて収集された位置情報および環境情報を前記端末装置に送信する送信部と、を含む情報収集サーバ。
【請求項９】
請求項１ないし６のいずれか１項に記載の端末装置と、前記端末装置に前記位置情報および前記環境情報を送信する携帯端末装置と、を含む情報通知システム。
【請求項１０】
請求項９に記載の情報通知システムにおいて、
前記携帯端末装置は、請求項７に記載の携帯端末装置である、情報通知システム。
【請求項１１】
請求項９または１０に記載の情報通知システムにおいて、
前記端末装置から前記端末装置宛に送信された位置情報および環境情報を収集する収集部と、前記収集部にて収集された位置情報および環境情報を互いに関連づけて格納する格納部と、前記収集部にて収集された位置情報および環境情報を前記端末装置に送信する送信部と、を含む情報収集サーバを、さらに含む情報通知システム。
【請求項１２】
位置情報を該位置情報にて示された位置の環境を示す環境情報と共に送信する携帯端末装置と、地図情報を管理する地図管理装置と、通信回線を介して接続される端末装置が行う情報通知方法であって、
前記位置情報および前記環境情報を受信する受信ステップと、
前記位置情報が受信されると、その受信された位置情報にて示された位置を含む地図情報を前記地図管理装置から取得する取得ステップと、
前記取得された地図情報が示す地図と、前記環境情報にて示された環境と、を含む画面を表示する表示ステップと、を含む情報通知方法。
【請求項１３】
請求項１２に記載の情報通知方法において、
前記表示ステップでは、前記受信された位置情報にて示された地図上の位置に、前記環境情報にて示された環境を表示する、情報通知方法。
【請求項１４】
請求項１２または１３に記載の情報通知方法において、
前記受信ステップでは、前記携帯端末装置にて取得された後に送信された環境情報を受信する、情報通知方法。
【請求項１５】
位置情報を該位置情報にて示された位置の環境を示す環境情報と共に送信する携帯端末装置と通信回線を介して接続され、地図情報を格納する地図情報格納部を含む端末装置が行う情報通知方法であって、
前記位置情報および前記環境情報を受信する受信ステップと、
前記位置情報が受信されると、その受信された位置情報にて示された位置を含む地図情報を前記地図情報格納部から取得する取得ステップと、
前記取得された地図情報が示す地図と、前記環境情報にて示された環境と、を含む画面を表示する表示ステップと、を含む情報通知方法。
【請求項１６】
請求項１５に記載の情報通知方法において、
前記表示ステップでは、前記受信された位置情報にて示された地図上の位置に、前記環境情報にて示された環境を表示する、情報通知方法。
【請求項１７】
請求項１５または１６に記載の情報通知方法において、
前記受信ステップでは、前記携帯端末装置にて取得された後に送信された環境情報を受信する、情報通知方法。
【請求項１８】
請求項１ないし６のいずれか１項に記載の端末装置に、前記位置情報および前記環境情報を送信し、前記位置情報および前記環境情報の送信許容先を識別するための識別情報を格納する格納部を含む携帯端末装置が行う情報通知方法であって、
前記端末装置から、前記位置情報および前記環境情報の発信を要求する旨の情報発信要求を、前記端末装置を識別するための識別情報と共に受け付ける受付ステップと、
前記受け付けられた識別情報が前記格納部に格納されているか否かを判定する判定ステップと、
前記受け付けられた識別情報が前記格納部に格納されていると判定されると、前記位置情報および前記環境情報を前記端末装置に送信する送信ステップと、を含む情報通知方法。
【請求項１９】
請求項１ないし６のいずれか１項に記載の端末装置と、前記端末装置宛に前記位置情報および前記環境情報を送信する携帯端末装置と、通信回線を介して接続される情報収集サーバが行う情報収集方法であって、
前記携帯端末装置から前記端末装置宛に送信された位置情報および環境情報を収集する収集ステップと、
前記収集された位置情報および環境情報を互いに関連づけて格納する格納ステップと、
前記収集された位置情報および環境情報を前記端末装置に送信する送信ステップと、を含む情報収集方法。
【請求項２０】
位置情報を該位置情報にて示された位置の環境を示す環境情報と共に送信する携帯端末装置と、地図情報を管理する地図管理装置と前記携帯端末装置と通信回線を介して接続される端末装置と、を含む情報通知システムが行う情報通知方法であって、
前記携帯端末装置が、前記位置情報を前記環境情報と共に送信する送信ステップと、
前記端末装置が、前記位置情報および前記環境情報を受信する受信ステップと、
前記位置情報が受信されると、前記端末装置が、その受信された位置情報にて示された位置を含む地図情報を前記地図管理装置から取得する取得ステップと、
前記端末装置が、前記取得された地図情報が示す地図と、前記環境情報にて示された環境と、を含む画面を表示する表示ステップと、を含む情報通知方法。
【請求項２１】
位置情報を該位置情報にて示された位置の環境を示す環境情報と共に送信する携帯端末装置と、前記携帯端末装置と通信回線を介して接続され地図情報を格納する地図情報格納部を含む端末装置と、を含む情報通知システムが行う情報通知方法であって、
前記携帯端末装置が、前記位置情報を前記環境情報と共に送信する送信ステップと、
前記端末装置が、前記位置情報および前記環境情報を受信する受信ステップと、
前記位置情報が受信されると、前記端末装置が、その受信された位置情報にて示された位置を含む地図情報を前記地図情報格納部から取得する取得ステップと、
前記端末装置が、前記取得された地図情報が示す地図と、前記環境情報にて示された環境と、を含む画面を表示する表示ステップと、を含む情報通知方法。
【請求項２２】
請求項２０または２１に記載の情報通知方法において、
前記携帯端末装置は、前記位置情報および前記環境情報の送信許容先を識別するための識別情報を格納する格納部を含み、
前記端末装置が、前記位置情報および前記環境情報の発信を要求する旨の情報発信要求を、前記端末装置を識別するための識別情報と共に送信する要求送信ステップと、
前記携帯端末装置が、前記情報発信要求を前記端末装置の識別情報と共に受け付ける受付ステップと、
前記携帯端末装置が、前記受け付けられた識別情報が前記格納部に格納されているか否かを判定する判定ステップと、をさらに含み、
前記送信ステップでは、前記受け付けられた識別情報が前記格納部に格納されていると判定されると、前記携帯端末装置が、前記位置情報および前記環境情報を前記端末装置に送信する、情報通知方法。
【請求項２３】
請求項２０または２１に記載の情報通知方法において、
前記情報通知システムは、前記携帯端末装置および前記端末装置と接続する情報収集サーバを含み、
前記情報収集サーバが、前記携帯端末装置から前記端末装置宛に送信された位置情報および環境情報を収集する収集ステップと、
前記情報収集サーバが、前記収集された位置情報および環境情報を互いに関連づけて格納する格納ステップと、
前記情報収集サーバが、前記収集された位置情報および環境情報を前記端末装置に送信する送信ステップと、を含む情報通知方法。
【発明の詳細な説明】
【技術分野】
【０００１】
本発明は、端末装置、携帯端末装置、情報収集サーバ、情報通知システム、情報通知方法および情報収集方法に関する。
【背景技術】
【０００２】
従来、通話相手の端末装置の位置を確認できる端末装置が知られている。
【０００３】
例えば、特許文献１（特開２００１−３４６２４６号公報）には、通話相手の位置を地図上で確認できる携帯端末装置が記載されている。
【０００４】
この携帯端末装置は、自己の現在位置を示す位置情報を取得し、その取得された位置情報を他の携帯端末装置に送信する。
【０００５】
また、この携帯端末装置は、他の携帯端末装置から送信された位置情報を受信すると、その受信された位置情報にて示される位置を含む地図データを、地図データメモリまたは地図サーバから取得する。この携帯端末装置は、その取得された地図データとその受信された位置情報とを合成し、他の携帯端末装置の位置を示す地図を表示する。
【０００６】
この携帯端末装置は地図データを送信しない。このため、携帯端末装置の送信データを少なくすることが可能になる。
【特許文献１】特開２００１−３４６２４６号公報
【発明の開示】
【発明が解決しようとする課題】
【０００７】
特許文献１に記載の携帯端末装置が送信側および受信側の携帯端末装置として用いられ、かつ、送信側の携帯端末装置が、特定の地点およびその地点の環境を受信側の携帯端末装置に通知する場合、送信側の携帯端末装置と、受信側の携帯端末装置は、以下のような動作を行う。
【０００８】
送信側の携帯端末装置は、まず、送信側の携帯端末装置の位置を示す位置情報と、その位置の環境を示す環境情報とを取得する。
【０００９】
送信側の携帯端末装置は、その取得された位置情報を受信側の携帯端末装置に送信し、続いて、その取得された環境情報を受信側の携帯端末装置に送信する。
【００１０】
受信側の携帯端末装置は、位置情報を受信すると、その位置情報が示す位置を含む地図を表示する。また、受信側の携帯端末装置は、環境情報を受信すると、その環境情報が示す環境を表示する画面を表示する。
【００１１】
受信側の携帯端末装置のユーザは、送信側の携帯端末装置の位置を示す地図と、環境を表示する画面とを見比べながら、特定の地点の環境を確認する。換言すると、受信側のユーザは、２つの画面を使用して、特定の地点の環境を確認しなければならなかった。
【００１２】
本発明の目的は、送信側携帯端末装置が取得したある地点の環境を、受信側端末装置のユーザが簡単に確認することを可能にする端末装置、携帯端末装置、情報収集サーバ、情報通知システム、情報通知方法および情報収集方法を提供することである。
【課題を解決するための手段】
【００１３】
上記目的を達成するために、本発明の端末装置は、位置情報を該位置情報にて示された位置の環境を示す環境情報と共に送信する携帯端末装置と、地図情報を管理する地図管理装置と、通信回線を介して接続される端末装置であって、前記位置情報および前記環境情報を受信する受信部と、前記受信部が前記位置情報を受信すると、その受信された位置情報にて示された位置を含む地図情報を前記地図管理装置から取得する取得部と、前記取得部にて取得された地図情報が示す地図と、前記環境情報にて示された環境と、を含む画面を表示する表示部とを含む。
【００１４】
また、本発明の情報通知方法は、位置情報を該位置情報にて示された位置の環境を示す環境情報と共に送信する携帯端末装置と、地図情報を管理する地図管理装置と、通信回線を介して接続される端末装置が行う情報通知方法であって、前記位置情報および前記環境情報を受信する受信ステップと、前記位置情報が受信されると、その受信された位置情報にて示された位置を含む地図情報を前記地図管理装置から取得する取得ステップと、前記取得された地図情報が示す地図と、前記環境情報にて示された環境と、を含む画面を表示する表示ステップとを含む。
【００１５】
上記目的を達成するために、本発明の携帯端末装置は、位置情報を該位置情報にて示された位置の環境を示す環境情報と共に送信する携帯端末装置と、通信回線を介して接続される端末装置であって、地図情報を格納する地図情報格納部と、前記位置情報および前記環境情報を受信する受信部と、前記受信部が前記位置情報を受信すると、その受信された位置情報にて示された位置を含む地図情報を前記地図情報格納部から取得する取得部と、前記取得部にて取得された地図情報が示す地図と、前記環境情報にて示された環境と、を含む画面を表示する表示部とを含む。
【００１６】
また、本発明の情報通知方法は、位置情報を該位置情報にて示された位置の環境を示す環境情報と共に送信する携帯端末装置と通信回線を介して接続され、地図情報を格納する地図情報格納部を含む端末装置が行う情報通知方法であって、前記位置情報および前記環境情報を受信する受信ステップと、前記位置情報が受信されると、その受信された位置情報にて示された位置を含む地図情報を前記地図情報格納部から取得する取得ステップと、前記取得された地図情報が示す地図と、前記環境情報にて示された環境と、を含む画面を表示する表示ステップとを含む。
【００１７】
上記の発明によれば、環境情報にて示された環境が、地図情報が示す地図と共に表示される。環境情報は、その環境にある位置を示す位置情報と共に携帯端末装置から送信される。地図情報は、その位置情報にて示された位置を含む。このため、環境情報にて示された環境は、その環境にある位置を示す地図と共に表示される。
【００１８】
したがって、端末装置のユーザは、携帯端末装置にて取得されたある環境とその位置を１つの画面で確認することが可能になる。よって、端末装置のユーザは、携帯端末装置が取得したある地点の環境を簡単に認識することが可能になる。
【００１９】
また、地図情報は携帯端末装置から送信されない。このため、携帯端末装置の送信データが少ない状態で、端末装置のユーザは、携帯端末装置が取得したある地点の環境を簡単に認識することが可能になる。
【００２０】
また、前記環境情報にて示された環境が、前記受信された位置情報にて示された地図上の位置に表示されることが望ましい。
【００２１】
上記の発明によれば、端末装置のユーザは、携帯端末装置が取得したある地点の環境を、より簡単に認識することが可能になる。
【００２２】
また、携帯端末装置にて取得され、その後、その携帯端末装置から送信された環境情報が受信されることが望ましい。
【００２３】
また、本発明の携帯端末装置は、上記端末装置に、前記位置情報および前記環境情報を送信する携帯端末装置であって、前記位置情報および前記環境情報の送信許容先を識別するための識別情報を格納する格納部と、前記端末装置から、前記位置情報および前記環境情報の発信を要求する旨の情報発信要求を、前記端末装置を識別するための識別情報と共に受け付ける受付部と、前記受付部にて受け付けられた識別情報が前記格納部に格納されているか否かを判定する判定部と、前記受付部にて受け付けられた識別情報が前記格納部に格納されていると前記判定部が判定すると、前記位置情報および前記環境情報を前記端末装置に送信する送信部とを含む。
【００２４】
また、本発明の情報通知方法は、上記端末装置に、前記位置情報および前記環境情報を送信し、前記位置情報および前記環境情報の送信許容先を識別するための識別情報を格納する格納部を含む携帯端末装置が行う情報通知方法であって、前記端末装置から、前記位置情報および前記環境情報の発信を要求する旨の情報発信要求を、前記端末装置を識別するための識別情報と共に受け付ける受付ステップと、前記受け付けられた識別情報が前記格納部に格納されているか否かを判定する判定ステップと、前記受け付けられた識別情報が前記格納部に格納されていると判定されると、前記位置情報および前記環境情報を前記端末装置に送信する送信ステップとを含む。
【００２５】
上記の発明によれば、端末装置から受け付けた識別情報が格納部に格納されていると、位置情報および環境情報がその端末装置に送信される。格納部は、位置情報および環境情報の送信許容先を識別するための識別情報を格納する。このため、端末装置が格納部に格納された識別情報を有していれば、携帯端末装置は、その端末装置からの要求に応じて、位置情報および環境情報をその端末装置に送信する。したがって、送信許容先として登録されている端末装置からの要求により、位置情報および環境情報をその端末装置に送信することが可能になる。
【００２６】
本発明の情報収集サーバは、上記端末装置と、前記端末装置宛に前記位置情報および前記環境情報を送信する携帯端末装置と、通信回線を介して接続される情報収集サーバであって、前記携帯端末装置から前記端末装置宛に送信された位置情報および環境情報を収集する収集部と、前記収集部にて収集された位置情報および環境情報を互いに関連づけて格納する格納部と、前記収集部にて収集された位置情報および環境情報を前記端末装置に送信する送信部とを含む。
【００２７】
また、本発明の情報収集方法は、上記端末装置と、前記端末装置宛に前記位置情報および前記環境情報を送信する携帯端末装置と、通信回線を介して接続される情報収集サーバが行う情報収集方法であって、前記携帯端末装置から前記端末装置宛に送信された位置情報および環境情報を収集する収集ステップと、前記収集された位置情報および環境情報を互いに関連づけて格納する格納ステップと、前記収集された位置情報および環境情報を前記端末装置に送信する送信ステップとを含む。
【００２８】
上記の発明によれば、位置情報および環境情報が互いに関連づけて格納される。位置情報および環境情報は、位置情報および環境情報が携帯端末装置から端末装置宛に送信される際に収集される。このため、位置情報および環境情報が携帯端末装置から端末装置宛に送信されるだけで、位置情報および環境情報のデータベース化を図ることが可能になる。
【００２９】
本発明の情報通知システムは、上記端末装置と、前記端末装置に前記位置情報および前記環境情報を送信する携帯端末装置とを含む。
【００３０】
また、本発明の情報通知方法は、位置情報を該位置情報にて示された位置の環境を示す環境情報と共に送信する携帯端末装置と、地図情報を管理する地図管理装置と前記携帯端末装置と通信回線を介して接続される端末装置と、を含む情報通知システムが行う情報通知方法であって、前記携帯端末装置が、前記位置情報を前記環境情報と共に送信する送信ステップと、前記端末装置が、前記位置情報および前記環境情報を受信する受信ステップと、前記位置情報が受信されると、前記端末装置が、その受信された位置情報にて示された位置を含む地図情報を前記地図管理装置から取得する取得ステップと、前記端末装置が、前記取得された地図情報が示す地図と、前記環境情報にて示された環境と、を含む画面を表示する表示ステップと、を含む。
【００３１】
また、本発明の情報通知方法は、位置情報を該位置情報にて示された位置の環境を示す環境情報と共に送信する携帯端末装置と、前記携帯端末装置と通信回線を介して接続され地図情報を格納する地図情報格納部を含む端末装置と、を含む情報通知システムが行う情報通知方法であって、前記携帯端末装置が、前記位置情報を前記環境情報と共に送信する送信ステップと、前記端末装置が、前記位置情報および前記環境情報を受信する受信ステップと、前記位置情報が受信されると、前記端末装置が、その受信された位置情報にて示された位置を含む地図情報を前記地図情報格納部から取得する取得ステップと、前記端末装置が、前記取得された地図情報が示す地図と、前記環境情報にて示された環境と、を含む画面を表示する表示ステップと、を含む。
【００３２】
上記の発明によれば、環境情報にて示された環境は、その環境の位置を示す地図と共に表示される。したがって、端末装置のユーザは、携帯端末装置にて取得された特定の地点の環境を１つの画面にて認識することが可能になる。よって、端末装置のユーザは、携帯端末装置が取得した特定の地点の環境を簡単に認識することが可能になる。
【発明の効果】
【００３３】
本発明によれば、端末装置のユーザは、携帯端末装置が取得したある地点の環境を簡単に認識することが可能になる。
【発明を実施するための最良の形態】
【００３４】
以下、本発明の実施例について図面を参照して説明する。
【００３５】
図１は、本発明の第１実施例の情報通知システムを示したブロック図である。
【００３６】
図１において、本情報通知システムは、送信側移動端末１と、受信側移動端末２と、地図サーバ３とを含む。送信側移動端末１と受信側移動端末２とは、モバイルネットワーク（通信回線）４を介して接続されている。地図サーバ３は、モバイルネットワーク４およびインターネット（通信回線）５を介して、送信側移動端末１および受信側移動端末２と接続されている。
【００３７】
送信側移動端末１は、携帯端末装置の一例であり、例えば、携帯電話機である。送信側移動端末１は、位置情報取得部１ａと、環境センサー１ｂ１と、環境情報受信部１ｂ２とを含む。
【００３８】
図２は、送信側移動端末１の一例を示したブロック図である。なお、図２において、図１に示したものと同一のものには同一符号を付してある。
【００３９】
図２において、送信側移動端末１は、位置情報取得部１ａと、環境情報取得部１ｂと、制御部１ｃと、通信部１ｄと、アンテナ１ｅと、操作部１ｆとを含む。環境情報取得部１ｂは、環境センサー１ｂ１と、環境情報受信部１ｂ２とを含む。
【００４０】
位置情報取得部１ａは、送信側移動端末１の現在位置を示す位置情報を取得する。位置情報取得部１ａは、例えば、ＧＰＳ衛星６または無線基地局７のような位置情報提供部から位置情報を取得する。
【００４１】
なお、位置情報取得部１ａは、ＧＰＳ衛星６または無線基地局７と異なる位置情報提供部から位置情報を取得してもよい。例えば、位置情報取得部１ａは、カーナビゲーションシステムまたは近隣の位置提供センサーから位置情報を取得してもよい。なお、位置情報提供部が３次元の位置情報を提供している場合、位置情報取得部１ａは、ＸＸビルＹＹ階ＺＺ区域といった３次元的な位置情報を取得できる。
【００４２】
また、位置情報取得部１ａは、常に位置情報を取得することが望ましい。位置情報取得部１ａは、その取得された位置情報を制御部１ｃに出力する。
【００４３】
環境情報取得部１ｂは、送信側移動端末１が存在している位置の環境を示す環境情報を取得する。なお、環境情報取得部１ｂは、常に環境情報を取得することが望ましい。環境情報取得部１ｂは、その取得された環境情報を制御部１ｃに出力する。
【００４４】
環境センサー１ｂ１は、送信側移動端末１が存在している位置の環境を示す環境情報を検出する。環境センサー１ｂ１は、例えば、温度センサーである。なお、環境センサー１ｂ１は、温度センサーに限らず適宜変更可能であり、例えば、湿度センサー、花粉量センサー、紫外線センサー、空気の透明度を検出するセンサー、または、通信相手の無線受信品質情報を検出するセンサーでもよい。環境センサー１ｂ１は、その検出された環境情報を制御部１ｃに出力する。
【００４５】
環境情報受信部１ｂ２は、近くに存在する情報提供部８から送信される環境情報を受信する。なお、情報提供部８は、情報提供部８が送信する環境情報を受信可能なエリアの環境を示す環境情報を送信する。また、情報提供部８が送信する環境情報は、例えば、温度、湿度、花粉量、紫外線量、または、空気の透明度である。環境情報受信部１ｂ２は、その受信された環境情報を制御部１ｃに出力する。
【００４６】
制御部１ｃは、位置情報取得部１ａから出力された位置情報と、環境情報取得部１ｂから出力された環境情報とを受け付けると、その位置情報を、その環境情報と共に通信部１ｄに出力する。
【００４７】
例えば、制御部１ｃは、一定周期ごと、または、位置情報取得部１ａから出力された位置情報が更新されると、その位置情報を、その環境情報と共に通信部１ｄに出力する。
【００４８】
通信部１ｄは、制御部１ｃから位置情報および環境情報を受け付けると、その位置情報をその環境情報と共に、アンテナ１ｅから無線信号で受信側移動端末２宛に送信する。
【００４９】
アンテナ１ｅは、無線信号を送受信する。
【００５０】
操作部１ｆは、例えば、操作ボタンで、ユーザの入力を受け付ける。
【００５１】
図１に戻って、受信側移動端末２は、端末装置の一例であり、例えば、携帯電話機である。
【００５２】
図３は、受信側移動端末２の一例を示したブロック図である。
【００５３】
図３において、受信側移動端末２は、アンテナ２ａと、通信部２ｂと、メモリ２ｃと、制御部２ｄと、表示部２ｅとを含む。
【００５４】
アンテナ２ａは、無線信号の送受信を行う。
【００５５】
通信部２ｂは、送信側移動端末１から送信された位置情報および環境情報を、アンテナ２ａを介して受信する。通信部２ｂは、その受信された位置情報および環境情報を、制御部２ｄに出力する。
【００５６】
メモリ２ｃは、コンピュータによって読み取り可能な記録媒体である。メモリ２ｃには、受信側移動端末２の動作を規定するプログラムが記録されている。
【００５７】
制御部２ｄは、ＣＰＵ等のコンピュータであり、メモリ２ｃに記録されたプログラムを読み取り、その読み取られたプログラムを実行して以下に示すような機能を実現する。
【００５８】
制御部２ｄは、通信部２ｂが位置情報を受信すると、その受信された位置情報にて示された位置を含む地図情報を地図サーバ３から取得する。
【００５９】
具体的には、制御部２ｄは、通信部２ｂが位置情報を受信すると、その受信された位置情報と、地図サーバ３から取得する地図情報の精度（尺度）を特定するための半径とを、通信部２ｂを介して地図サーバ３に送信する。
【００６０】
地図サーバ３は、受信側移動端末２から位置情報および半径とを受信すると、その位置情報にて示された位置を含み、かつ、その半径にて特定される精度（尺度）を有する地図情報を、受信側移動端末２に送信する。
【００６１】
受信側移動端末２の制御部２ｄは、地図サーバ３から送信された地図情報を、通信部２ｂを介して受信する。
【００６２】
制御部２ｄは、その受信された地図情報が示す地図と、通信部２ｂから受け付けた環境情報にて示された環境と、を含む画面を表示部２ｅに表示する。
【００６３】
例えば、制御部２ｄは、通信部２ｂが受信した位置情報にて特定される地図上の位置に、その環境情報にて示された環境を表示部２ｅに表示する（図１４参照）。
【００６４】
なお、制御部２ｄは、環境情報にて示された環境が地図情報にて示される地図に重ならないように、その地図とその環境とを合成して、その合成された画面を表示部２ｅに表示してもよい。
【００６５】
図１に戻って、地図サーバ３は、地図管理装置の一例である。地図サーバ３は、モバイルネットワーク４またはインターネット５に接続され、地球上の種々の地域を示す地図情報（地図画像）を格納する。地図サーバ３は、クライアント（例えば、受信側移動端末２）から要求された地図を、そのクライアントに提供する。
【００６６】
ＧＰＳ衛星６は、位置情報を送信する。無線基地局７は、位置情報を送信する。情報提供部８は、情報提供部８が送信する環境情報を受信可能なエリアにおける環境を示す環境情報を送信する。
【００６７】
以上詳細に実施例の構成を述べたが、図１に示した位置情報取得方法、移動端末の通信機能および位置と地図を重ねる方法は、当業者にとってよく知られているので、その詳細な構成は省略する。
【００６８】
次に、第１実施例の動作を説明する。
【００６９】
図４は、本情報通知システムの動作を説明するためのシーケンス図である。図４において、図１に示したものと同一のものには同一符号を付してある。
【００７０】
以下、図４を参照して本情報通知システムの動作を説明する。
【００７１】
なお、送信側移動端末１の位置情報取得部１ａは常に位置情報を取得し、また、送信側移動端末１の環境情報取得部１ｂは常に環境情報を取得するものとする。
【００７２】
ステップＳ１０１では、送信側移動端末１のユーザが、送信側移動端末１を受信側移動端末２に接続するように操作部１ｆを操作すると、制御部１ｃは、受信側移動端末２との接続要求を通信部１ｄに出力する。通信部１ｄは、受信側移動端末２との接続要求を受け付けると、アンテナ１ｅから受信側移動端末２との接続要求をモバイルネットワーク４に送信する。
【００７３】
モバイルネットワーク４は、受信側移動端末２との接続要求を受け付けると、ステップＳ１０２を実行する。
【００７４】
ステップＳ１０２では、モバイルネットワーク４は、受信側移動端末１と受信側移動端末２とを接続する。
【００７５】
その後、ステップＳ１０３およびＳ１０４が実行される。
【００７６】
ステップＳ１０３では、環境情報取得部１ｂが環境情報を取得する。また、ステップＳ１０４では、位置情報取得部１ａが位置情報を取得する。なお、ステップＳ１０３とステップＳ１０４の実行順序は逆でもよいし同時でもよい。
【００７７】
制御部１ｃは、一定周期ごと、または、位置情報取得部１ａから出力された位置情報が更新されると、ステップＳ１０５を実行する。
【００７８】
ステップＳ１０５では、制御部１ｃは、位置情報取得部１ａにて取得された位置情報を、環境情報取得部１ｂにて取得された環境情報と共に通信部１ｄに出力する。通信部１ｄは、制御部１ｃから位置情報および環境情報を受け付けると、その位置情報を、その環境情報と共に、アンテナ１ｅから無線信号で受信側移動端末２宛に送信する。
【００７９】
位置情報と環境情報とが受信側移動端末２宛に送信されると、モバイルネットワーク４は、ステップＳ１０６を実行する。
【００８０】
ステップＳ１０６では、モバイルネットワーク４は、その位置情報および環境情報を受信し、その後、その位置情報および環境情報を受信側移動端末２に送信する。受信側移動端末２（具体的には、通信部２ｂ）は、その位置情報および環境情報を受信する。
【００８１】
通信部２ｂは、その受信された位置情報および環境情報を、制御部２ｄに出力する。制御部２ｄは、位置情報および環境情報を受け付けると、ステップＳ１０７を実行する。
【００８２】
ステップＳ１０７では、制御部２ｄは、地図サーバ３宛に地図画像要求を送信する。なお、地図画像要求は、その受け付けられた位置情報と、地図サーバ３から取得する地図情報の精度（尺度）を特定するための半径とを含む。
【００８３】
地図画像要求が地図サーバ３宛に送信されると、モバイルネットワーク４は、ステップＳ１０８を実行する。
【００８４】
ステップＳ１０８では、モバイルネットワーク４は、その地図画像要求を受信し、その後、その地図画像要求を地図サーバ３に送信する。
【００８５】
地図サーバ３は、その地図画像要求を受信すると、ステップＳ１０９を実行する。
【００８６】
ステップＳ１０９では、地図サーバ３は、その地図画像要求に含まれる位置情報にて示された位置を含み、かつ、その地図画像要求に含まれる半径にて特定される精度（尺度）を有する地図画像（地図情報）を、受信側移動端末２宛に送信する。
【００８７】
地図画像が受信側移動端末２宛に送信されると、モバイルネットワーク４は、ステップＳ１１０を実行する。
【００８８】
ステップＳ１１０では、モバイルネットワーク４は、その地図画像を受信し、その後、その地図画像を受信側移動端末２に送信する。
【００８９】
受信側移動端末２は、その地図画像を受信すると、ステップＳ１１１を実行する。
【００９０】
ステップＳ１１１では、受信側移動端末２の制御部２ｄは、地図サーバ３から送信された地図情報を通信部２ｂを介して受信する。制御部２ｄは、その受信された地図情報が示す地図と通信部２ｂから受け付けた環境情報にて示された環境とを含む画面を、表示部２ｅに表示する。例えば、制御部２ｄは、通信部２ｂが受信した位置情報にて特定される地図上の位置に、その環境情報にて示された環境を表示する（図１４参照）。
【００９１】
受信側移動端末２のユーザは、表示部２ｅの表示を見て、送信側移動端末１の位置とその位置の環境を確認する。
【００９２】
なお、受信側移動端末２のユーザが地図の精度を広域または狭域に変更する場合、再度ステップＳ１０７が実行される。
【００９３】
この再度行われるステップＳ１０７では、受信側移動端末２のユーザは、その変更する精度に応じた半径を受信側移動端末２に入力する。受信側移動端末２は、その入力された半径と位置情報とを地図サーバ３宛に送信する。以下、ステップＳ１０８からステップＳ１１１が実行され、精度（尺度）の異なる地図が表示部２ｅ表示される。
【００９４】
なお、受信側移動端末２が新たな位置情報を受け付けた場合に、その位置情報にて示される位置が、受信側移動端末２が取得した地図に含まれる場合には、受信側移動端末２は新たな地図情報を取得せずに、ステップＳ１１１を実行する。
【００９５】
一方、受信側移動端末２が新たな位置情報を受け付けた場合に、その位置情報にて示される位置が、受信側移動端末２が取得した地図に含まれる場合には、ステップＳ１０７からステップＳ１１１が実行される。
【００９６】
図５は、本情報通知システムの動作を説明するためのフローチャートである。具体的には、図５は、図４にて示された動作を示したフローチャートである。なお、図５において、図４に示した処理と同一の処理には同一符号を付してある。
【００９７】
本実施例によれば、環境情報にて示された環境が、地図情報が示す地図と共に表示される。環境情報は、その環境にある場所の位置を示す位置情報と共に送信側移動端末１から送信される。地図情報は、その位置情報にて示された位置を含む。このため、環境情報にて示された環境は、その環境にある場所を示す地図と共に表示される。
【００９８】
したがって、受信側移動端末２のユーザは、送信側移動端末１にて取得された、ある環境とその位置を、１つの画面で確認することが可能になる。よって、受信側移動端末２のユーザは、送信側移動端末１が取得したある地点の環境を簡単に認識することが可能になる。
【００９９】
また、地図情報は送信側移動端末１から送信されない。このため、送信側移動端末１の送信データが少ない状態で、受信側移動端末２のユーザは、送信側移動端末１が取得したある地点の環境を簡単に認識することが可能になる。
【０１００】
また、本実施例では、環境情報にて示された環境が、位置情報にて示された地図上の位置に表示される。この場合、受信側移動端末２のユーザは、送信側移動端末１が取得したある地点の環境を、より簡単に認識することが可能になる。また、受信側移動端末２のユーザは、送信側移動端末１の位置を簡単に認識することが可能になる。
【０１０１】
次に、本発明の第２実施例を説明する。
【０１０２】
図６は、本発明の第２実施例の情報通知システムを示したブロック図である。図６において、図１に示したものと同一のものには同一符号を付してある。
【０１０３】
第２実施例と第１実施例との主な相違点は、第１実施例の送信側移動端末１が送信側移動端末１０になり、第１実施例の受信側移動端末２が受信側移動端末２０になっている点である。
【０１０４】
さらに言えば、受信側移動端末２０は、位置情報および環境情報の発信を要求する旨の情報発信要求を、受信側移動端末２０を識別するための識別情報と共に、送信側移動端末１０に送信する。
【０１０５】
送信側移動端末１０は、受信側移動端末２０から送信された識別情報が予め送信許容先として登録されていると、その情報発信要求に応じて、位置情報および環境情報を受信側移動端末２０に送信する。
【０１０６】
図６において、送信側移動端末１０は、携帯端末装置の一例であり、例えば、携帯電話機である。送信側移動端末１０は、位置情報取得部１ａと、環境センサー１ｂ１と、環境情報受信部１ｂ２とを含む。受信側移動端末２０は、端末装置の一例であり、例えば、携帯電話機である。
【０１０７】
図７は、送信側移動端末１０の一例を示したブロック図である。なお、図７において、図２に示したものと同一のものには同一符号を付してある。
【０１０８】
なお、送信側移動端末１０では、図２に示した制御部１ｃの代わりに制御部１０ｂが用いられ、さらに、メモリ１０ａが追加されている。
【０１０９】
図７において、通信部１ｄは、受信側移動端末２０から送信された情報発信要求および識別情報を、アンテナ１ｅを介して受信する。
【０１１０】
メモリ１０ａは、コンピュータによって読み取り可能な記録媒体であり、格納部の一例である。メモリ１０ａは、位置情報および取得情報の送信許容先を識別するための識別情報を格納する。
【０１１１】
また、メモリ１０ａには、送信側移動端末１０の動作を規定するプログラムが記録されている。
【０１１２】
制御部１０ｂは、ＣＰＵ等のコンピュータであり、メモリ１０ａに記録されたプログラムを読み取り、その読み取られたプログラムを実行して以下に示すような機能を実現する。
【０１１３】
制御部１０ｂは、通信部１ｄが受信側移動端末２０から情報発信要求および受信側移動端末２０の識別情報と受け付けると、その受け付けられた識別情報がメモリ１０ａに格納されているか否かを判定する。
【０１１４】
制御部１０ｂは、その受け付けられた識別情報がメモリ１０ａに格納されていると判定すると、位置情報取得部１ａが取得した位置情報および環境情報取得部１ｂが取得した環境情報を受信側移動端末２０に送信する処理を、通信部１ｄに実行させる。
【０１１５】
図８は、受信側移動端末２０の一例を示したブロック図である。なお、図８において、図３に示したものと同一のものには同一符号を付してある。
【０１１６】
なお、受信側移動端末２０では、図３に示した制御部２ｄの代わりに制御部２０ｂが用いられ、さらに、操作部２０ａが図示されている。
【０１１７】
図８において、操作部２０ａは、例えば、操作ボタンで、ユーザの入力を受け付ける。
【０１１８】
メモリ２ｃには、受信側移動端末２０の動作を規定するプログラムが記録されている。
【０１１９】
制御部２０ｂは、ＣＰＵ等のコンピュータであり、メモリ２ｃに記録されたプログラムを読み取り、その読み取られたプログラムを実行して以下に示すような機能を実現する。
【０１２０】
制御部２０ｂは、操作部２０ａが送信側移動端末１０宛ての情報発信要求を受け付けると、その情報発信要求を受信側移動端末２０の識別情報と共に送信側移動端末１０に送信する処理を、通信部２ｂに実行させる。受信側移動端末２０の識別情報は、例えば、メモリ２ｃに予め格納されているものとする。
【０１２１】
また、制御部２０ｂは、通信部２ｂが位置情報を受信すると、その受信された位置情報にて示された位置を含む地図情報を地図サーバ３から取得する。
【０１２２】
また、制御部２０ｂは、その受信された地図情報が示す地図と通信部２ｂから受け付けた環境情報にて示された環境とを含む画面を表示部２ｅに表示する。例えば、制御部２０ｂは、通信部２ｂが受信した位置情報にて特定される地図上の位置に、その環境情報にて示された環境を表示する（図１４参照）。
【０１２３】
次に、第２実施例の動作を説明する。
【０１２４】
図９は、第２実施例の動作を説明するためのシーケンス図である。図９において、図６に示したものと同一のものには同一符号を付してある。
【０１２５】
以下、図９を参照して第２実施例の動作を説明する。
【０１２６】
受信側移動端末２０のユーザが操作部２０ａを操作して送信側移動端末１０宛ての情報発信要求を入力すると、制御部２０ｂは、ステップＳ２０１を実行する。
【０１２７】
ステップＳ２０１では、制御部２０ｂは、操作部２０ａが受け付けた情報発信要求を受信側移動端末２０の識別情報と共に送信側移動端末１０に送信する処理を、通信部２ｂに実行させる。
【０１２８】
情報発信要求と受信側移動端末２０の識別情報とが送信側移動端末１０宛に送信されると、モバイルネットワーク４は、ステップＳ２０２を実行する。
【０１２９】
ステップＳ２０２では、モバイルネットワーク４は、その情報発信要求とその識別情報を受信し、その後、その情報発信要求および識別情報を送信側移動端末１０に送信する。送信側移動端末１０（具体的には、通信部１ｄ）は、その情報発信要求および識別情報を受信する。
【０１３０】
通信部１ｄは、その受信された情報発信要求および識別情報を、制御部１０ｂに出力する。制御部１０ｂは、その受信された情報発信要求および識別情報を受け付けると、ステップＳ２０３を実行する。
【０１３１】
ステップＳ２０３では、制御部１０ｂは、その受け付けられた識別情報がメモリ１０ａに格納されているか否かを判定する。
【０１３２】
制御部１０ｂは、その受け付けられた識別情報がメモリ１０ａに格納されている場合、その情報発信要求を許容し、一方、その受け付けられた識別情報がメモリ１０ａに格納されていない場合、その情報発信要求を拒絶する。
【０１３３】
制御部１０ｂは、その情報発信要求を拒絶した場合（許容されない場合）、ステップＳ２０４を実行する。
【０１３４】
ステップＳ２０４では、制御部１０ｂは、受信側移動端末２０（具体的には、モバイルネットワーク４）との接続を切断する。モバイルネットワーク４は、送信側移動端末１０との接続が切断されると、ステップＳ２０５を実行する。
【０１３５】
ステップＳ２０５では、モバイルネットワーク４は、受信側移動端末２０との接続を切断する。
【０１３６】
一方、制御部１０ｂがその情報発信要求を許容した場合、図４に示したステップＳ１０３からＳ１１１（図４に示した手順Ａ、Ｂ、ＣおよびＤ）が実行される。
【０１３７】
本実施例によれば、送信側移動端末１０は、受信側移動端末２０から受け付けた識別情報がメモリ１０ａに格納されていると、位置情報および環境情報を受信側移動端末２０に送信する。メモリ１０ａは、位置情報および環境情報の送信先を識別するための識別情報を格納する。
【０１３８】
このため、受信側移動端末２０がメモリ１０ａに格納された識別情報を有していれば、送信側移動端末１０は、受信側移動端末２０からの要求に応じて、位置情報および環境情報を受信側移動端末２０に送信する。したがって、信頼できる受信側移動端末２０からの要求により、位置情報および環境情報を受信側移動端末２０に送信することが可能になる。
【０１３９】
次に、本発明の第３実施例を説明する。
【０１４０】
図１０は、本発明の第３実施例の情報通知システムを示したブロック図である。図１０において、図６に示したものと同一のものには同一符号を付してある。なお、図１０では、送信側移動端末１０を１台しか示していないが、複数の送信側移動端末１０が存在することが好ましい。
【０１４１】
第３実施例は、地域情報管理サーバ３０を有する点において第２実施例と異なる。
【０１４２】
図１０において、地域情報管理サーバ３０は、情報収集サーバの一例であり、送信側移動端末１０および受信者側移動端末２０と接続されている。
【０１４３】
図１１は、地域情報管理サーバ３０の一例を示したブロック図である。
【０１４４】
図１１において、地域情報管理サーバ３０は、通信部３０ａと、メモリ３０ｂと、制御部３０ｃとを含む。
【０１４５】
通信部３０ａは、モバイルネットワーク４と接続する。通信部３０ａは、送信側移動端末１０から送信された位置情報および環境情報を収集する。
【０１４６】
メモリ３０ｂは、コンピュータによって読み取り可能な記録媒体である。メモリ３０ｂには、地域情報管理サーバ３０の動作を規定するプログラムが記録されている。
【０１４７】
制御部３０ｃは、ＣＰＵ等のコンピュータであり、メモリ３０ｂに記録されたプログラムを読み取り、その読み取られたプログラムを実行して以下に示すような機能を実現する。
【０１４８】
制御部３０ｃは、通信部３０ａにて収集された位置情報および環境情報を互いに関連づけてメモリ３０ｂに格納する。例えば、制御部３０ｃは、位置情報および環境情報をデータベース化してメモリ３０ｂに格納する。
【０１４９】
制御部３０ｃは、メモリ３０ｂに格納された位置情報および環境情報を受信側移動端末２０に送信する処理を、通信部３０ａに行わせる。
【０１５０】
次に、第３実施例の動作を説明する。
【０１５１】
図１２は、第３実施例の動作を説明するためのシーケンス図である。図１２において、図１０に示したものと同一のものには同一符号を付してある。
【０１５２】
以下、図１２を参照して第３実施例の動作を説明する。
【０１５３】
ステップＳ３０１では、環境情報取得部１ｂが環境情報を取得し、位置情報取得部１ａが位置情報を取得する。制御部１０ｂは、一定周期ごと、または、位置情報取得部１ａから出力された位置情報が更新されると、ステップＳ３０２を実行する。
【０１５４】
ステップＳ３０２では、制御部１０ｂは、位置情報取得部１ａにて取得された位置情報を、環境情報取得部１ｂにて取得された環境情報と共に通信部１ｄに出力する。通信部１ｄは、制御部１ｃから位置情報および環境情報を受け付けると、その位置情報を、その環境情報と共に、アンテナ１ｅから無線信号で受信側移動端末２０宛に送信する。
【０１５５】
位置情報と環境情報とが受信側移動端末２宛に送信されると、モバイルネットワーク４は、ステップＳ３０３を実行する。
【０１５６】
ステップＳ３０３では、モバイルネットワーク４は、その位置情報と環境情報とを受信し、その後、その位置情報および環境情報を地域情報管理サーバ３０に送信する。地域情報管理サーバ３０（具体的には、通信部３０ａ）は、その位置情報および環境情報を受信する。
【０１５７】
通信部３０ａは、その受信された位置情報および環境情報を制御部３０ｃに出力する。制御部３０ｃは、位置情報および環境情報を受け付けると、ステップＳ３０４を実行する。
【０１５８】
ステップＳ３０４では、制御部３０ｃは、その位置情報および環境情報を互いに関連づけてメモリ３０ｂに格納する。例えば、制御部３０ｃは、位置情報および環境情報をデータベース化してメモリ３０ｂに格納する。
【０１５９】
制御部３０ｃは、位置情報および環境情報をメモリ３０ｂに格納すると、ステップＳ３０５を実行する。
【０１６０】
ステップＳ３０５では、制御部３０ｃは、メモリ３０ｂに格納した位置情報および環境情報を受信側移動端末２０に送信する処理を通信部３０ａに実行させる。受信側移動端末２０は、位置情報および環境情報を受信すると、図４に示したステップＳ１０７からＳ１１１（図４に示した手順ＣおよびＤ）を実行する。
【０１６１】
なお、送信側移動端末１０は、位置情報および環境情報を地域情報管理サーバ３０宛に送信してもよい。この場合、制御部３０ｃは、ステップＳ３０４を実行した後、ステップＳ３０５を実行しない。
【０１６２】
また、受信側移動端末２０のユーザが操作部２０ａを操作して地域情報管理サーバ３０宛ての地域情報提供要求を入力すると、制御部２０ｂは、ステップＳ３０６を実行する。
【０１６３】
ステップＳ３０６では、制御部２０ｂは、操作部２０ａが受け付けた地域情報提供要求を地域情報管理サーバ３０宛に送信する処理を、通信部２ｂに実行させる。
【０１６４】
地域情報提供要求が地域情報管理サーバ３０宛に送信されると、モバイルネットワーク４は、ステップＳ３０７を実行する。
【０１６５】
ステップＳ３０７では、モバイルネットワーク４は、その地域情報提供要求を受信し、その後、その地域情報提供要求を地域情報管理サーバ３０に送信する。地域情報管理サーバ３０は、地域情報提供要求を受信すると、ステップＳ３０８を実行する。
【０１６６】
ステップＳ３０８では、地域情報管理サーバ３０の制御部３０ｃは、互いに関連づけられてメモリ３０ｂに格納されている位置情報および環境情報を読み出し、その読み出した位置情報および環境情報を受信側移動端末２０に送信する。
【０１６７】
例えば、制御部３０ｃは、メモリ３０ｂに格納されている互いに関連づけられた位置情報および環境情報の中で、最新の位置情報および環境情報を受信側移動端末２０宛に送信する。
【０１６８】
位置情報および環境情報が受信側移動端末２０宛に送信されると、モバイルネットワーク４は、ステップＳ３０９を実行する。
【０１６９】
ステップＳ３０９では、モバイルネットワーク４は、その位置情報および環境情報を受信し、その後、その位置情報および環境情報を受信側移動端末２０に送信する。受信側移動端末２０は、その位置情報および環境情報を受信した後、図４に示したステップＳ１０７からＳ１１１（図４に示した手順ＣおよびＤ）を実行する。
【０１７０】
本実施例によれば、地域情報管理サーバ３０は、位置情報および環境情報を互いに関連づけてメモリ３０ｂに格納する。位置情報および環境情報は、送信側移動端末１０が受信側移動端末２０に位置情報および環境情報を送信した際に、収集される。
【０１７１】
このため、位置情報および環境情報が送信側移動端末１０から受信側移動端末２０宛に送信されるだけで、自動的に位置情報および環境情報のデータベース化を図ることが可能になる。
【０１７２】
したがって、送信側移動端末１０が地域情報管理サーバ３０と通信することで、送信側移動端末１０が存在しうる地域（例えば、人間が生活する地域）の最新詳細情報を蓄積することが可能になり、また、地域情報管理サーバ３０に受信側移動端末２０が接続することにより、その移動端末が各地域の最新詳細情報を取得することが可能になる。
【０１７３】
また、地域情報管理サーバ３０経由の定期的な情報発信と、地域情報管理サーバ３０における情報の蓄積により、送信側移動端末が圏外にいるときなど通信できない場合でも、その位置情報履歴を受信側移動端末が確認することが可能になる。
【０１７４】
なお、第３実施例において、送信側移動端末１０の代わりに送信側移動端末１が用いられてもよく、また、受信側移動端末２０の代わりに受信側移動端末２が用いられてもよい。
【０１７５】
上記各実施例では、地図サーバ３が地図管理装置として用いられたが、地図管理装置は地図サーバに限らず適宜変更可能である。例えば、地図管理装置は、カーナビゲーションシステム等の隣接機器でもよい。この場合、位置情報取得部１ａは、例えば、その隣接機器から特定のインターフェースで地図情報を取得する。
【０１７６】
また、地図情報格納部が、受信側移動端末内に設けられてもよい。この場合、受信側移動端末内の制御部は、通信部２ｂが位置情報を受信すると、その受信された位置情報にて示された位置を含む地図情報を地図情報格納部から取得する。なお、地図情報格納部は、地球上の種々の地域を示す地図情報（地図画像）を格納する。
【０１７７】
図１３は、図８に示した受信側移動端末２０に地図情報格納部２００ａが設けられた受信側移動端末２００を示したブロック図である。なお、図１３において、図８に示したものと同一のものには同一符号を付してある。この場合、制御部２０ｂは、通信部２ｂが位置情報を受信すると、その受信された位置情報にて示された位置を含む地図情報を地図情報格納部２００ａから取得する。
【０１７８】
なお、図３に示した受信側移動端末２に地図情報格納部２００ａが設けられてもよい。この場合、制御部２ｄは、通信部２ｂが位置情報を受信すると、その受信された位置情報にて示された位置を含む地図情報を地図情報格納部２００ａから取得する。
【０１７９】
地図情報格納部が、受信側移動端末内に設けられた場合も、受信側移動端末のユーザは、送信側移動端末が取得したある地点の環境を簡単に認識することが可能になる。
【０１８０】
図１４は、表示部２ｅが地図と環境（この場合、温度）を１つの画面で表示した例を示した説明図である。さらに言えば、図１４は、表示部２ｅが、環境情報にて示された環境を、位置情報にて示された地図上の特定地点２ｅ１に表示した例を示した説明図である。
【０１８１】
上記各実施例によれば、送信側移動端末が、位置情報とは異なる環境情報を発信するため、送信側移動端末から多くの情報を得ることが可能になる。
【０１８２】
以上説明した各実施例において、図示した構成は単なる一例であって、本発明はその構成に限定されるものではない。
【０１８３】
例えば、受信側端末は移動端末に限らず、インターネットに接続可能なパソコン等の一般通信機器でもよい。
【０１８４】
また、送信側移動端末は、複数の受信側移動端末に位置情報および環境情報を送信してもよい。この場合、送信側移動端末は、複数の相手に自己の位置を通知することが可能になる。
【０１８５】
また、上記各実施例において、送信側移動端末の位置情報を詐称して、送信側移動端末が他の端末の位置情報またはサーバから得られる位置情報を、受信側移動端末に送信してもよい。この場合、送信側移動端末が虚偽の位置情報を発信することで、送信側移動端末の位置を受信者にごまかすことが可能となる。なお、送信側移動端末の位置情報詐称を禁止してもよい。
【０１８６】
なお、上記実施例は、例えば、以下に示す分野に利用可能である。
【０１８７】
第２実施例は、移動端末を紛失時、本サービスをサポートする別の端末が、紛失した移動端末の位置を特定するような分野に利用可能である。
【０１８８】
第３実施例は、移動端末が存在しうる地域、すなわち人間が生活するあらゆる地域の最新詳細情報を管理するような分野に利用可能である。
【図面の簡単な説明】
【０１８９】
【図１】本発明の第１実施例の情報通知システムを示したブロック図である。
【図２】送信側移動端末１の一例を示したブロック図である。
【図３】受信側移動端末２の一例を示したブロック図である。
【図４】第１実施例の情報通知システムの動作を説明するためのシーケンス図である。
【図５】第１実施例の情報通知システムの動作を説明するためのフローチャートである。
【図６】本発明の第２実施例の情報通知システムを示したブロック図である。
【図７】送信側移動端末１０の一例を示したブロック図である。
【図８】受信側移動端末２０の一例を示したブロック図である。
【図９】第２実施例の情報通知システムの動作を説明するためのシーケンス図である。
【図１０】本発明の第３実施例の情報通知システムを示したブロック図である。
【図１１】地域情報管理サーバ３０の一例を示したブロック図である。
【図１２】第３実施例の情報通知システムの動作を説明するためのシーケンス図である。
【図１３】受信側移動端末の一例を示したブロック図である。
【図１４】表示部２ｅの表示の一例を示した説明図である。
【符号の説明】
【０１９０】
１      送信側移動端末
１ａ    位置情報取得部
１ｂ    環境情報取得部
１ｂ１  環境センサ
１ｂ２  環境情報受信部
１ｃ    制御部
１ｄ    通信部
１ｅ    アンテナ
１ｆ    操作部
２      受信側移動端末
２ａ    アンテナ
２ｂ    通信部
２ｃ    メモリ
２ｄ    制御部
２ｅ    表示部
３      地図サーバ
４      モバイルネットワーク
５      インターネット
６      ＧＰＳ衛星
７      無線基地局
８      情報提供部
１０      送信側移動端末
１０ａ    メモリ
１０ｂ    制御部
２０      受信側移動端末
２０ａ    操作部
２０ｂ    制御部
３０      地域情報管理サーバ
３０ａ    通信部
３０ｂ    メモリ
３０ｃ    制御部
２００      受信側移動端末
２００ａ    地図情報格納部
【図１】
2006217498.tif 000003
【図２】
2006217498.tif 000004
【図３】
2006217498.tif 000005
【図４】
2006217498.tif 000006
【図５】
2006217498.tif 000007
【図６】
2006217498.tif 000008
【図７】
2006217498.tif 000009
【図８】
2006217498.tif 000010
【図９】
2006217498.tif 000011
【図１０】
2006217498.tif 000012
【図１１】
2006217498.tif 000013
【図１２】
2006217498.tif 000014
【図１３】
2006217498.tif 000015
【図１４】
2006217498.tif 000016